(57)【要約】【課題】プログラマブル表示器に表示される記号を入力するための入力画像の入力操作性を向上させる。【解決手段】パーソナルコンピュータ１の画像作成部１３は、機種設定部１３１と、画像サイズ決定部１３２とを含んでいる。機種設定部１３１は、プログラマブル表示器２の機種（種類）を設定する。画像サイズ決定部１３２は、設定された機種に応じた画像のサイズを決定するとともに、画面作成部１３に予め用意されている、各機種に応じた画像サイズのパスワード入力画像から、決定された画像サイズのパスワード入力画像をプログラマブル表示器２に表示させるパスワード入力画像として決定する。これにより、パスワード入力画像が、プログラマブル表示器２に表示される画像のサイズに応じた大きさで表示される。【選択図】図１
2010170497.tif 000002
【特許請求の範囲】
【請求項１】
少なくとも２以上の種類のプログラマブル表示器に表示させる画像を作成するとともに、前記プログラマブル表示器に、所定の記号を入力するためのアルファニューメリックキーを有する入力画像を提供する画像作成装置であって、
前記プログラマブル表示器の種類を設定する種類設定手段と、
設定された前記種類の表示画面サイズおよび解像度の少なくともいずれか一方によって前記入力画像の画像サイズを決定する入力画像サイズ決定手段とを備えていることを特徴とする画像作成装置。
【請求項２】
前記入力画像は、入力された前記記号を表示するための表示部を有しており、
前記入力画像サイズ決定手段は、前記表示部に表示される前記記号の表示サイズを変更する表示サイズ変更手段を備えていることを特徴とする請求項１に記載の画像作成装置。
【請求項３】
コンピュータを請求項１または２に記載の画像作成装置として機能させるための画像作成プログラムであって、当該コンピュータを上記各手段として機能させる画像作成プログラム。
【請求項４】
請求項３に記載の画像作成プログラムを記録したコンピュータ読み取り可能な記録媒体。
【発明の詳細な説明】
【技術分野】
【０００１】
本発明は、プログラマブル表示器に表示させる画像を作成する画像作成装置に関しており、パスワード入力画像によるパスワードの入力を容易にした画像作成装置に関するものである。
【背景技術】
【０００２】
プログラマブル表示器は、タッチパネルと、表示器本体と、ホストコントローラ（ＰＬＣ、インバータ、温調計等）とのインターフェースを備えており、ホストコントローラに接続されたデバイスの稼働状況を表示したり、デバイスへの制御指示を与えるための操作入力をタッチパネルから受け付けたりする機能を備えた操作型表示器である。一般に、プログラマブル表示器は、グラフィック表示機能を有するので、表示器本体の表示画面に操作盤、スイッチ、表示灯などを表示することができ、制御システムにおける操作端末としての役割を果たす。
【０００３】
プログラマブル表示器で表示される画像は、画像データとして画像作成ソフトウェアを用いてユーザによって作成される。画像の作成に際しては、ユーザが、汎用のパーソナルコンピュータ等において画像作成ソフトウェアによって提供される部品、描画機能等を用いて所望の画像を構成する。作成された画像は、画像データとしてプログラマブル表示器に送信されて記憶される。そして、ホストコントローラの稼働時には、ホストコントローラに接続されたデバイスの状態に応じて、プログラマブル表示器の表示画面に表示された画像におけるメータ表示器等の出力部品画像が動的に変化する。また、表示された画像におけるスイッチ等の入力部品画像上のタッチパネルへの入力操作が制御指示としてデバイスに与えられる。
【０００４】
プログラマブル表示器の操作においては、プログラマブル表示器へのログインや特定の画像を表示するときに、パスワードの入力を要求して、ユーザによる操作を制限することがある。パスワードは、通常、パスワードの入力画像（キーボード等）が表示画面に表示された状態で、ユーザがその入力画像上のタッチパネルへタッチ操作することにより入力される。
【０００５】
パスワードを入力するための手段として、例えば、特許文献１に開示されるようなソフトウェアキーボードが用いられる。特許文献１には、入力モードに対応してキーボードの表示状態を異ならせて、キーボードの操作性を向上させ、ユーザの誤操作を防止することが記載されている。
【０００６】
また、特許文献２には、上記のようなソフトウェアキーボードの各キーの表示形態を変更することにより、パスワードの入力操作が他者から容易に見える場合でも、パスワードが他者に推測される危険性を減らすことが記載されている。
【先行技術文献】
【特許文献】
【０００７】
【特許文献１】特開２００５−１００１８６号公報（２００５年４月１４日公開）
【特許文献２】特開２００４−１２６９７３号公報（２００４年４月２２日公開）
【発明の概要】
【発明が解決しようとする課題】
【０００８】
プログラマブル表示器は、ＦＡの分野で発展してきたことから、一般に、工場設備などの環境に設置されることが多い。また、このような環境でプログラマブル表示器を操作する作業者は手袋を着用していることが多い。このため、パスワードの入力画像（キー）が小さいと、手袋を着用したままでは、誤ったキー入力をしやすくなる。このようなパスワードの入力ミスを避けるために、作業者は、手袋を外してから入力操作を行う必要があり、パスワード入力作業が繁雑になるという不都合がある。
【０００９】
通常、プログラマブル表示器におけるパスワード入力画像は、画像の表示サイズに関わらず、単一の表示サイズのみで用意されており、画面に対して一定の比率でキーボードが表示されるようになっている。例えば、小さい表示画面を有するプログラマブル表示器に、それより大きい表示画面に適合した表示サイズのパスワード入力画像を表示させる場合、表示画面に占めるパスワード入力画像の割合が小さくなるので、パスワード入力画像が表示画面に対して小さく表示されてしまう。また、例えば、プログラマブル表示器の解像度がＶＧＡ（Video Graphics Array）以上である場合、パスワード入力画像がＱＶＧＡ（Quarter VGA）用であれば、表示画面サイズが同じであっても、表示画面に占めるパスワード入力画像の割合が小さくなり、ＱＶＧＡのプログラマブル表示器に表示される場合と比べて、パスワード入力画像が小さく表示されてしまう。このため、作業者は、手袋を着用している状態では、所望のキーだけでなく、その周辺のキーもタッチしてしまうことがある。
【００１０】
また、逆に、表示画面に占めるパスワード入力画像の割合が大きくなる場合は、パスワード入力画像が大きく表示され過ぎることになる。この場合も、キーがタッチ操作に適した大きさではなくなるので、好ましくない。
【００１１】
上記の問題は、パスワードの入力に限らず、数値の入力や文字列の入力などの記号を単に入力する場合にも同様に生じる。
【００１２】
しかしながら、上述のような特許文献１，２に記載された技術をプログラマブル表示器に適用しても、上記の問題を解決するには至らない。
【００１３】
また、プログラマブル表示器は、専用機であることから、汎用のパーソナルコンピュータのように高性能のＣＰＵを搭載しておらず、表示される画像のサイズを変更するといった高度な演算処理には不向きである。このため、プログラマブル表示器において、パスワード入力画像を拡大することは、実際には不可能である。
【００１４】
本発明は、上記の問題点に鑑みてなされたものであり、プログラマブル表示器に表示される入力画像の入力操作性を向上させることを目的としている。
【課題を解決するための手段】
【００１５】
本発明に係る画像作成装置は、少なくとも２以上の種類のプログラマブル表示器に表示させる画像を作成するとともに、前記プログラマブル表示器に、所定の記号を入力するためのアルファニューメリックキーを有する入力画像を提供する画像作成装置であって、前記プログラマブル表示器の種類を設定する種類設定手段と、設定された前記種類の表示画面サイズおよび解像度の少なくともいずれか一方によって前記入力画像の画像サイズを決定する入力画像サイズ決定手段とを備えていることを特徴としている。
【００１６】
上記の構成では、種類設定手段によってプログラマブル表示器の種類が設定されると、入力画像サイズ決定手段が、当該種類の表示画面サイズによって入力画像の画像サイズを決定し、プログラマブル表示器に提供する。例えば、入力画像サイズ決定手段は、前記種類毎に予め用意されている、各種類の表示画面サイズと同一サイズの前記入力画像から、設定された前記種類に対応する前記入力画像を選択する。あるいは、入力画像サイズ決定手段は、予め用意されている単一の前記入力画像を、設定された前記種類の前記表示画面サイズと同一サイズとなるように前記入力画像の画像サイズを変更する。
【００１７】
これにより、入力画像は、種類に応じた画像サイズを有するので、例えば、画像サイズがＶＧＡであればＶＧＡのサイズで表示される。それゆえ、入力画像を従来の均一の画像サイズであるＱＶＧＡよりも大きく表示することができる。これにより、画像サイズが大きいにも関わらず入力画像が小さく表示されることがなくなり、作業者が手袋を着用したままでも、アルファニューメリックキーのタッチの操作を確実にすることができる。
【００１８】
また、前記画像作成装置において、前記入力画像は、入力された前記記号を表示するための表示部を有しており、前記入力画像サイズ決定手段は、前記表示部に表示される前記記号の表示サイズを変更する表示サイズ変更手段を備えていることが好ましい。
【００１９】
上記の構成では、表示サイズ変更手段によって、入力画像の表示部に表示される記号の表示サイズが変更される。例えば、入力された記号をそのまま表示部に表示する場合、記号を小さくするように変更する。これにより、表示画面サイズの大きい種類のプログラマブル表示器において、入力画像の画像サイズが大きくなっても、記号が小さく表示されるので、プログラマブル表示器の周辺にいる他者に認識されにくくすることができる。これは、パスワードを記号として入力するときに特に有効である。
【００２０】
本発明の画像作成プログラムは、コンピュータを前述のいずれかの画像作成装置として機能させるための画像作成タプログラムであって、当該コンピュータを上記各手段として機能させるプログラムである。また、この画像作成プログラムは、コンピュータ読み取り可能な記録媒体に記録される。このように、画像作成プログラムをコンピュータに読み取らせて実行させることにより、前記画像作成装置を実現することができる。
【００２１】
なお、本明細書において、画像サイズとは、入力画像が、表示器の表示画面に映し出された状態での、表示器の表示画面に対する大きさ、すなわち、入力画像と表示器の表示画面との面積比をいうものとする。上記の入力画像が表示画面と同一サイズである場合は、当該面積比は１：１となる（画像サイズ１）。入力画像が表示画面の半分である場合は、当該面積比は０．５：１となる（画像サイズ０．５）。
【００２２】
例えば、大小二つの表示器がある場合に、小さい画面の表示器の画面に映し出された入力画像と、大きい表示器の画面に映し出された入力画像の大きさが見かけは同じであっても、小さい画面に表示された入力画像の方が、画面に占める割合が大きく、画像サイズが大きいことになる。
【発明の効果】
【００２３】
本発明に係る画像作成装置は、以上のように、プログラマブル表示器の種類を設定する種類設定手段と、設定された前記種類の表示画面サイズおよび解像度の少なくともいずれか一方によって前記入力画像の画像サイズを決定する入力画像サイズ決定手段とを備えているので、入力画像の画像サイズを操作に適した画像サイズにすることができる。
【００２４】
例えば、プログラマブル表示器の表示画面サイズが小さくなったり、解像度が細かくなったりしても、入力画像は、小さく表示されることがなく、作業者が手袋を着用したままでも、キーを操作し得る大きさで表示される。これにより、作業者が手袋を着用したままであっても、キータッチの操作を確実にすることができる。したがって、プログラマブル表示器に表示される入力画像の入力操作性を向上させることができるという効果を奏する。
【図面の簡単な説明】
【００２５】
【図１】本発明の実施形態に係るパーソナルコンピュータを含むシステムの構成を示すブロック図である。
【図２】上記パーソナルコンピュータの画像作成部によって表示される機種設定のためのダイアログボックスを示す図である。
【図３】（ａ）は上記パーソナルコンピュータの画像作成部によって提供される横型表示のＩＤ／パスワード画像を示す図であり、（ｂ）は上記パーソナルコンピュータの画像作成部によって提供される横型表示のパスワード入力画像を示す図である。
【図４】（ａ）は上記パーソナルコンピュータの画像作成部によって提供される縦型表示のＩＤ／パスワード画像を示す図であり、（ｂ）は上記パーソナルコンピュータの画像作成部によって提供される縦型表示のパスワード入力画像を示す図である。
【図５】図３（ｂ）のパスワード入力画像が小さく表示される状態を示す図である。
【発明を実施するための形態】
【００２６】
本発明の実施形態を図１〜図５に基づいて説明すると、以下の通りである。
【００２７】
本実施の形態に係る画像作成装置は、図１に示すように、例えば、パーソナルコンピュータ１によって構成されている。パーソナルコンピュータ１は、ＣＰＵ、メモリ（ＲＡＭ、ＲＯＭなど）、外部記憶装置（ハードディスクドライブ、ＭＯドライブなど）、表示装置および入力装置（キーボード、マウスなど）を有している。また、パーソナルコンピュータ１は、図１に示すように、制御部１１、インターフェース部（図中、Ｉ／Ｆ）１２、画面作成部１３およびデータ記憶部１４を備えている。
【００２８】
インターフェース部１２は、プログラマブル表示器２との間の通信を行うための通信制御部であり、通信ケーブル３に接続されている。通信ケーブル３としては、例えばＵＳＢケーブルなどが用いられる。
【００２９】
プログラマブル表示器２は、ＣＰＵなどの演算処理装置と、画像を表示するスクリーン２３と、スクリーン２３上に重ねられたタッチパネル２４とを備えている。これにより、プログラマブル表示器２は、ユーザが作成した入力操作および表示のための画像データを表示し、スクリーン２３に画像データが表示された状態でタッチパネル２４をタッチ操作することによりプログラマブル表示器特有の操作機能および表示機能を実現する専用コンピュータとして提供される。ここで、表示画面とは、スクリーン２３において画像が表示される表示領域を意味する。
【００３０】
このプログラマブル表示器２は、シリアルケーブルなどの通信ケーブル６を介したＰＬＣ４との通信により、ＰＬＣ４を介して各デバイス５の状態を取得して、その状態をスクリーン２３に表示された画像に表す機能を有している。また、プログラマブル表示器２は、後述のタッチパネル２４への操作に応じて、デバイス５の状態制御をＰＬＣ４に指示する機能を有している。
【００３１】
ＰＬＣ４は、ユーザが作成したロジックプログラム（ラダープログラムなど）にしたがって動作する。具体的には、ＰＬＣ４は、数十ｍｓなどの予め定められたスキャンタイム毎に、入力ユニットを介して入力元のデバイス５の状態を取り込むとともに、出力ユニットを介して出力先のデバイス５に状態を変更するように制御指示を与える。
【００３２】
入力元のデバイス５としては、センサ（温度センサ、光センサなど）、スイッチ（押ボタンスイッチ、リミットスイッチ、圧力スイッチなど）のような機器が用いられる。出力先のデバイス５としては、アクチュエータ、リレー、電磁弁、表示器などが用いられる。これらのデバイス５は、製造ラインなどの所要各部に配置される。また、プログラマブル表示器２に表示される画像に含まれる実体のないスイッチ部品画像や表示器部品画像などもデバイス５として扱われる。
【００３３】
ＨＭＩ機器として好適に使用されるプログラマブル表示器２は、ＨＭＩ処理部２１を制御の中心として備えている。このＨＭＩ処理部２１は、ＨＭＩ処理のプログラムを実行することによって実現される機能ブロックである。
【００３４】
上記のＨＭＩ処理部２１は、所定の時間間隔毎や所定のイベント毎にＰＬＣ４と通信することによって、ＰＬＣ４のメモリ４ａ（後述の外部メモリデバイス）から、ＰＬＣ４に接続されたデバイス５の状態をデータ（状態データ）として取得して、その状態をプログラマブル表示器２のスクリーン２３に表示する。また、ＨＭＩ処理部２１は、プログラマブル表示器２内に用意されたデータ格納領域、例えばデータメモリ２６の特定の領域（例えば後述の内部メモリデバイス）に書き込まれたデータを取得してその状態をプログラマブル表示器２の画面に表示する。一方、ＨＭＩ処理部２１は、プログラマブル表示器２のスクリーン２３上に設けられたタッチパネル２４への操作などに応じて、外部メモリデバイスおよび内部メモリデバイスにおけるデータを更新するように、ＰＬＣ４と通信することによって外部メモリデバイスのデータを書き替えるとともに、内部メモリデバイスのデータを書き替える。
【００３５】
また、ＨＭＩ処理部２１は、後述する部品画像等を組み合わせて作成された画像データに基づいて、外部メモリデバイスおよび内部メモリデバイスから取得したデータをスクリーン２３に描画表示するときの動作や、スクリーン２３上のタッチパネル２４への操作に応じてデバイス５の状態の変更を指示するときの動作を処理規定情報によって特定する。
【００３６】
画像データは、後述するパーソナルコンピュータ１の画像作成部１３で作成されて、ＨＭＩ処理部２１で処理可能な形式として変換された上で、後述するようにプロジェクトファイルとしてパーソナルコンピュータ１から通信ケーブル３を介して送信される。送信されたプロジェクトファイルは、データメモリ２６に格納される。プログラマブル表示器２におけるプロジェクトファイルの受信は、インターフェース部（図中Ｉ／Ｆ）２７によって行われる。
【００３７】
また、ＨＭＩ処理部２１は、インターフェース部（図中Ｉ／Ｆ）２８による通信ケーブル６を介したＰＬＣ４との通信により、ＰＬＣ４のメモリに格納された各デバイス５の状態を取得し、スクリーン２３に表示される画像に各デバイス５の状態を表す機能を有する。
【００３８】
さらに、ＨＭＩ処理部２１は、パスワード照合部２１１を含んでいる。
【００３９】
パスワード照合部２１１は、プログラマブル表示器２へログインする場合や特定の画像を表示させるような場合等、操作が制限される場合に、ユーザによって入力されたユーザＩＤおよびパスワードを、それぞれ予め設定されているユーザＩＤおよびパスワードと照合する。パスワード照合部２１１は、照合の結果、入力されたユーザＩＤおよびパスワードと設定されたユーザＩＤおよびパスワードとがそれぞれ一致している場合に、制限されている操作を許可する処理を行い、一致していない場合に、制限されている操作を許可しない処理を行う。
【００４０】
パスワード照合部２１１は、ユーザにパスワードを入力させるためのユーザインターフェースとして、例えば、図３（ａ）に示すパスワード画像１０１と、図３（ｂ）に示すＩＤ／パスワード入力画像２０１とをスクリーン２３に表示する。
【００４１】
図３（ａ）および（ｂ）に示す画像１０１，２０１は、いずれも横長の矩形状をなし、一方、図４（ａ）および（ｂ）に示す画像３０１，４０１は、いずれも縦長の矩形状をなしている。図３（ａ）および（ｂ）は、横長に配置されたスクリーン２３の表示画面いっぱいに画像１０１，２０１が表示されている状態を示す（画像サイズ１（表示画像と画像の面積比は１：１））。また、図４（ａ）および（ｂ）は、縦長に配置されたスクリーン２３の表示画面いっぱいに画像３０１，４０１が表示されている状態を示す。
【００４２】
パスワード画像１０１は、パスワードダイアログボックス１０２を含んでいる。このパスワードダイアログボックス１０２は、ＩＤ入力ボックス１０２ａと、パスワード入力ボックス１０２ｂと、入力事項を決定するためのＯＫボタン１０２ｃと、入力処理を取り消すためのキャンセルボタン１０２ｃとを有している。ＩＤ入力ボックス１０２ａは、入力されたユーザＩＤを＊で表示する表示部である。パスワード入力ボックス１０２ｂは、入力されたパスワードを＊で表示する表示部である。
【００４３】
ＩＤ／パスワード入力画像２０１は、パスワード入力ウインドウ２０２を含んでいる。このパスワード入力ウインドウ２０２は、キーボード部２０２ａと、ＩＤ／パスワード表示部２０２ｂとを有している。
【００４４】
キーボード部２０２ａは、アルファニューメリックキーと、入力操作のためのキー（バックスペースキー、エスケープキー、キャプスロックキー、エンターキー、クリアキーなど）を有している。
【００４５】
パスワード照合部２１１は、まず、ＩＤ入力ボックス１０２ａおよびパスワード入力ボックス１０２ｂのいずれか一方がユーザによってタッチされると、ＩＤ／パスワード入力画像２０１を表示する。また、パスワード照合部２１１は、ユーザＩＤおよびパスワードがユーザによってキーボード部２０２ａを用いて入力されると、入力された文字を＊で表示していく。また、パスワード照合部２１１は、エンターキー（ＥＮＴ）が押されると、入力された文字を確定し、パスワードダイアログボックス１０２のＩＤ入力ボックス１０２ａおよびパスワード入力ボックス１０２ｂにそれぞれ同様に入力された文字を表示する。さらに、パスワード照合部２１１は、ＯＫボタン１０２ｃがタッチされると、入力されたユーザＩＤおよびパスワードを前述のように、予め設定されたユーザＩＤおよびパスワードとそれぞれ照合する。
【００４６】
ここで、再びパーソナルコンピュータ１の説明に戻る。
【００４７】
制御部１１は、ハードウェア（ＣＰＵやメモリなど）およびソフトウェア（オペレーティングシステムなど）によって実現される機能ブロックであり、アプリケーションプログラムの実行や周辺機器の動作を制御する部分である。制御部１１は、その機能を果たすために作業メモリ１１ａを有している。作業メモリ１１ａは、ＲＡＭなどによって構成され、画像作成部１３が画像データを展開するためなどに用いられる。
【００４８】
また、制御部１１は、アプリケーションプログラムである画像作成ソフトウェア（画像作成プログラム）を実行することにより、画像作成部１３として機能する。画像作成ソフトウェアは、パーソナルコンピュータ１と分離可能に構成される記録媒体に記録され、この記憶媒体からパーソナルコンピュータ１にインストールすることが可能である。パーソナルコンピュータ１は、画像作成部１３を備えることにより画像作成装置として機能する。
【００４９】
なお、図１においては、便宜上、画像作成部１３を制御部１１と分離して描いている。
【００５０】
上記の記録媒体（プログラムメディア）は、コンピュータに読み取り可能な記録媒体であり、磁気テープやカセットテープなどのテープ系、フレキシブルディスクやハードディスクなどの磁気ディスク系、ＣＤ−ＲＯＭ、ＭＯ、ＭＤ、ＤＶＤなどの光ディスク系、ＩＣカード（メモリカードを含む）、光カードなどのカード系が好適である。その他、上記のプログラムメディアは、マスクＲＯＭ、ＥＰＲＯＭ、ＥＥＰＲＯＭ、フラッシュＲＯＭなどによる半導体メモリを含めた固定的にプログラムを担持する媒体であってもよい。
【００５１】
また、パーソナルコンピュータ１が、インターネットを含む通信ネットワークと接続可能な環境に置かれていれば、通信ネットワークからプログラムをダウンロードするように流動的にプログラムを担持する媒体であってもよい。ただし、このように通信ネットワークからプログラムをダウンロードする場合には、そのダウンロード用プログラムは予めパーソナルコンピュータ１に格納されるか、あるいは別な記録媒体からインストールされるものであることが好ましい。
【００５２】
画像作成部１３は、スクリーン２３に表示される画像データをユーザによって作成できるように、スイッチ、ランプ、テンキー、各種表示器（例えば、数値表示器、メータ表示器およびグラフ表示器）などの部品画像、描画機能、テキスト入力機能などを備えている。部品画像としては、単一の機能を有する部品画像だけでなく、複数の機能を有する、複合スイッチ、カウンタ、タイマといった複合機能を有する部品画像が用意されている。また、部品画像に他の部品画像を重ねて表示することもできる。
【００５３】
部品画像は、それぞれ固有の番号が付された状態で登録されており、ユーザが容易に選択できるように、ブラウザ形式や後述するようなアイコン形式で表示される。また、部品画像には、それぞれの機能に応じた処理規定情報が予め付与されている。例えば、部品画像がスイッチであれば、スイッチの操作により、このスイッチと関連付けられたデバイスのオン・オフが制御できるようになっている。
【００５４】
描画機能は、直線や曲線の線図形を描画したり、各種のグラフ、円、四角形、三角形などの基本図形の描画および図形内の指定色や模様による塗りつぶしを行ったりするための機能である。
【００５５】
テキスト入力機能は、画像上に配置する所望の文字列を入力するための機能である。このテキスト入力機能は、文字列を入力するだけでなく、入力される文字の属性（フォントタイプ、文字サイズ、カラー、横書き・縦書き、表示言語等）を設定できるようになっている。
【００５６】
また、画像作成部１３は、画像データ作成のための画像データ作成ウインドウ（図示せず）に画像の基本となるベース画像を表示し、このベース画像上への部品画像の配置や描画機能を利用した図形の描画といったユーザによる操作を支援するユーザインターフェースを提供する。すなわち、ユーザは、ベース画像上に部品画像を配置し、部品画像とデバイス５とを関連付けることによって、さらに、必要に応じて描画機能を用いて適切な図形をベース画像上に描く、あるいはテキスト入力機能を用いてテキストを配置することによって画像データを作成できる。
【００５７】
画像作成部１３は、作成された画像データをＨＭＩ処理部２１で処理可能なファイル形式に変換して、上記の外部記憶装置によって構成されるデータ記憶部１４に保存する。
【００５８】
画像データは、関連する複数の画像データを１まとまりとして、プログラマブル表示器２の機種情報、プログラマブル表示器２と接続される接続機器に関する情報、プログラマブル表示器２と接続機器との間の通信設定情報などと併せてプロジェクトファイルとしてデータ記憶部１４に保存される。このプロジェクトファイルには、前述のパスワード画像およびパスワード入力画像も含まれている。また、画像作成部１３は、プロジェクトファイルをデータ記憶部１４から読み出し、通信ケーブル３を介してプログラマブル表示器２に送信する。
【００５９】
さらに、画像作成部１３は、ユーザによって入力されたアドレスを部品画像に設定する機能を有している。アドレスは、前述の外部アドレスおよび内部アドレスである。また、画像作成部１３は、ユーザによって入力された前述のシンボル名をアドレスに対応付けて設定する機能も有している。これにより、外部アドレスおよび内部アドレスをユーザの定義による分かりやすい名称で管理することができる。
【００６０】
画像作成部１３は、上記のプログラマブル表示器２の機種（種類）情報を設定する機種設定部１３１と、設定された機種に基づいたパスワード画像のサイズを決定する画像サイズ決定部１３２と、前述のパスワード照合部２１１で照合されるパスワードを設定するパスワード設定部１３３とを有している。
【００６１】
機種設定部１３１は、パスワード画像の提供先となるプログラマブル表示器２の機種情報を設定するために、図２に示す機種情報設定ダイアログボックス５１をスクリーン２３に表示する。機種設定部１３１は、画像作成部１３がその起動時に表示する初期ダイアログボックス（図示せず）で、ユーザによってプロジェクトファイルの新規作成が指示されると、上記の機種情報設定ダイアログボックス５１を表示して、機種情報の設定をユーザに促す。機種情報が設定されることにより、新規のプロジェクトファイルを作成することが可能となる。
【００６２】
機種情報設定ダイアログボックス５１は、シリーズ選択ボックス５１ａと、機種選択ボックス５１ｂと、設置方法選択ボックス５１ｃと、仕様表示部５１ｄと、設定事項を決定するためのＯＫボタン５１ｅと、設定処理を取り消すためのキャンセルボタン５１ｆとを有している。
【００６３】
シリーズ選択ボックス５１ａは、プログラマブル表示器２の機種のシリーズを設定するために、予め登録されている複数のシリーズ名から１つを選択できるように、リストボックスとして設けられている。機種選択ボックス５１ｂは、プログラマブル表示器２の機種を設定するために、シリーズ選択ボックス５１ａで選択されたシリーズ名のシリーズに属する機種として予め登録されている複数の機種名から１つを選択できるように、リストボックスとして設けられている。設置方法選択ボックス５１ｃは、プログラマブル表示器２の設置方法として横型または縦型のいずれかを設定するために、横型または縦型のいずれか一方を選択できるように、リストボックスとして設けられている。なお、横型とはスクリーンが横長の状態で配置されること、縦型とはスクリーンが縦長の状態で配置されることを表す。
【００６４】
仕様表示部５１ｄは、選択された機種についての仕様を表示する部分である。この仕様表示部５１ｄには、表示画面サイズ、表示ドット数、表示デバイス（スクリーン２３のタイプ）、表示色・階調などが仕様として表示されている。
【００６５】
機種設定部１３１は、シリーズ選択ボックス５１ａ、機種選択ボックス５１ｂおよび設置方法選択ボックス５１ｃにそれぞれ選択項目が選択された状態で、ユーザによってＯＫボタン５１ｅがクリックされると、選択された機種を設定し、当該機種のプログラマブル表示器２の設置方法を設定する。
【００６６】
画像サイズ決定部１３２は、上記の設定された機種（表示画面サイズまたは表示ドット数）に応じた画像のサイズを決定する。また、画像サイズ決定部１３２は、上記の設定された設置方法にしたがって、画像が横長の矩形形状であるか縦長の矩形形状であるかを決定する。画面作成部１３は、このようにして決定された画像のサイズおよび横長／縦長のベース画像を前述の画像作成ウインドウに表示する。また、画像サイズ決定部１３２は、画面作成部１３に予め用意されている、各機種および設置方法に応じた画像サイズおよび横長／縦長のパスワード画像およびパスワード入力画像から、決定された画像サイズおよび横長／縦長のパスワード画像およびパスワード入力画像を新規のプロジェクトファイルに含めるパスワード画像およびパスワード入力画像として決定する。
【００６７】
なお、ここでは、画像サイズは表示画面サイズまたは表示ドット数と等しいものとする。
【００６８】
パスワード設定部１３３は、前述のパスワード照合部２１１で入力されたユーザＩＤおよびパスワードが適正であるか否かを照合するためのユーザＩＤおよびパスワードを設定する。このためにパスワード設定部１３３は、ユーザＩＤおよびパスワードを入力し決定するためのウインドウ（図示せず）をユーザインターフェースとして表示する。パスワード設定部１３３は、ユーザによって入力され、かつ決定されたユーザＩＤおよびパスワードを属性として上記の決定されたパスワード画像に付与する。
【００６９】
上記のように構成されるパーソナルコンピュータ１においては、画像作成部１３が有する画像サイズ決定部１３２によって、画像のサイズおよび横長／縦長が決定されるときに、これらに応じたパスワード画像およびパスワード入力画像が決定される。このように決定されたパスワード画像およびパスワード入力画像は、プロジェクトファイルに含まれて、画像データなどとともにプログラマブル表示器２に送信されて、データメモリ２６に記憶される。
【００７０】
プログラマブル表示器２においては、パスワード照合部２１１によって、データメモリ２６に記憶されたパスワード画像およびパスワード入力画像がスクリーン２３に表示される。
【００７１】
例えば、図３（ａ）に示すパスワード画像１０１および図３（ｂ）に示すパスワード入力画像２０１は横長の矩形形状（設置方法は横型）である。一方、図４（ａ）に示すパスワード画像３０１および図４（ｂ）に示すパスワード入力画像４０１は縦長の矩形形状（設置方法は縦型）である。このパスワード画像３０１も、ＩＤ入力ボックス１０２ａ、パスワード入力ボックス１０２ｂ、ＯＫボタン１０２ｃおよびキャンセルボタン１０２ｃと同様の機能を有するＩＤ入力ボックス３０２ａ、パスワード入力ボックス３０２ｂ、ＯＫボタン３０２ｃおよびキャンセルボタン３０２ｃを有している。また、パスワード入力画像４０１も、キーボード部２０２ａおよびＩＤ／パスワード表示部２０２ｂと同様の機能を有するキーボード部４０２ａおよびＩＤ／パスワード表示部４０２ｂを有している。
【００７２】
以下、先ず、プログラマブル表示器２の２つの機種について、表示画面サイズが同じで解像度が、例えば、ＱＶＧＡとＶＧＡと異なる場合、それぞれに適合したパスワード入力画像２０１，４０１が用意されているので、解像度がＱＶＧＡであれば、ＱＶＧＡのサイズで、例えば、図３（ｂ）のように表示される。一方、解像度がＶＧＡの場合、ＱＶＧＡ用のパスワード入力画像２０１，４０１をそのまま用いると、表示画面に占めるパスワード入力画像２０１，４０１の割合が、例えば図５に示すように小さくなってしまう、すなわち実際の画像の大きさが小さくなってしまう。これに対し、本発明の画像作成装置によれば、ＶＧＡ用のパスワード入力画像が用意されているので、解像度がＶＧＡであっても表示画面に占めるパスワード入力画像の割合が変化せず、パスワード入力画像の大きさが、見かけでは変化せず、図３（ａ）に示す状態のままとなる。したがって、パスワード入力画像２０１，４０１は、手袋をはずすことなく、キーを操作可能な大きさとすることができる。
【００７３】
次いで、解像度が同じで表示画面サイズが異なる場合について説明する。
【００７４】
例えば、３．８型（表示画面サイズ：７８．８×５９.６ｍｍ）のプログラマブル表示器２と、７．５型（表示画面サイズ:１５３．７×１１５．８ｍｍ）のプログラマブル表示器２との場合について説明する。７．５型用のパスワード入力画像２０１，４０１を、３.８型のプログラマブル表示器２にそのまま表示させる場合、すなわち、表示画面に占めるパスワード入力画像２０１，４０１の割合がそのままである場合、７．５型と３．８型とでは表示画面の面積比がほぼ４対１であるため、パスワード入力画像２０１，４０１の実際の大きさ（面積）が７．５型で表示した場合と比べてほぼ１／４となり、小さくなってしまう。このため、作業者が手袋をしたままキータッチをすることが困難になる。そこで、３．８型の機種には、７．５型用のパスワード入力画像２０１，４０１よりも、表示画面に占める割合が大きいパスワード入力画像を提供する。すなわち、表示画面中に占める割合が４倍となるパスワード画像を３．８型に提供すれば、パスワード入力画像２０１，４０１の見かけの大きさは同じとなり、７．５型と比較した場合も、作業者のパスワード入力に要する手間に変化は生じない。
【００７５】
また、表示画面サイズが１５型（解像度変わらず）に、例えば７．５型用のパスワード入力画像をそのまま表示させる場合、逆に見かけの大きさが大きくなりすぎる。そこで、このような場合には、キーがタッチ操作に適した大きさになるように、表示画面に占める割合が小さい（画像サイズが小さい）パスワード入力画像を提供する。
【００７６】
なお、手袋をはずすことなく操作可能なキーの大きさは、１５×１５ｍｍ程度が最小の大きさであり、好ましくは２０×２０ｍｍ以上あるとよいが、作業者がはめる手袋の厚みや作業者の性別によって好ましい大きさは異なるため、キーの大きさは適宜選択すればよい。また、好ましいキーの大きさを確保するために、キーの配列は、必ずしも図３や図４に示すものには限られない。
【００７７】
例えば、図３（ｂ）においては、キーボード部２０２ａが縦６×横７個のキーにより構成されているが、画面が横長の場合であっては、縦４×横１１個等のキー構成としてもよい。図４（ｂ）に示す画面が縦長の場合であっては、縦８×横６個等のキー構成としてもよく、キーボード部４０２ａのキー配列における縦、横の数は適宜変更すればよい。
【００７８】
なお、上述の説明においては、便宜上、３．８型および７．５型、ＱＶＧＡおよびＶＧＡでそれぞれパスワード入力画像の見かけの大きさが同じになると説明したが、それぞれの画面に表示されるパスワード入力画像の縦横比や見かけの大きさは、必ずしも同じである必要はない。
【００７９】
また、図３（ｂ）に示すように、パスワードウインドウ２０２が、横長型のパスワード入力画像２０１における縦方向の範囲に表示可能な最大の高さを有しておれば、パスワードウインドウ２０２の大きさを最大にすることができる。これにより、画像サイズがＱＶＧＡのように小さい場合でも、パスワードウインドウ２０２におけるキータッチの操作性を向上させることができる。図４（ｂ）に示す縦長型のパスワード入力画像４０１においては、パスワードウインドウ４０２が横方向の範囲に表示可能な最大の幅を有しておれば、パスワードウインドウ４０２の大きさを最大にすることができる。
【００８０】
また、パスワード入力画像２０１，３０１は、機種に応じた画像サイズを有することから、画像サイズが大きくなるほど大きく表示される。パスワード入力画像２０１，４０１のＩＤ／パスワード表示部２０２ｂ，４０２ｂには、前述のように、通常＊でユーザＩＤおよびパスワードを表示するが、入力された文字をそのまま表示するようにしてもよい。この場合、ＩＤ／パスワード表示部２０２ｂ，４０２ｂに表示される文字も、画像サイズに応じて大きくなるため、表示されたユーザＩＤおよびパスワードが、プログラマブル表示器２の周辺にいる他者に認識されやすくなる。このような不都合を回避するため、ＩＤ／パスワード表示部２０２ｂ，４０２ｂに表示される文字のサイズを画像サイズに関係なく小さく設定するようにしてもよい。このため、例えば、パスワード設定部１３２（文字サイズ変更手段）は、ユーザによって選択された文字サイズを設定するようにする。
【００８１】
なお、本実施の形態では、パスワード画像およびパスワード入力画像が、表示器の画面の大きさ（表示画面サイズ）や解像度（表示ドット数）毎に用意されている例について説明したが、単一のパスワード画像およびパスワード入力画像を用意しておき、画像サイズ決定部１３２によって、当該パスワード画像およびパスワード入力画像のサイズを変更したり、キーの配列を変更したりするようにしてもよい。本発明の目的を達成するには、表示器の画面の大きさや解像度に適し、作業者の操作が容易な、特に作業者が手袋をしたままでも操作が容易である入力画像を提供できればよいので、そのための具体的手段は問わない。
【００８２】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。例えば、入力画像はパスワード入力画像に限られない。
【産業上の利用可能性】
【００８３】
本発明の画像作成装置は、プログラマブル表示器の表示画面と同サイズを有する、パスワードなどを入力する入力画像を用意するので、大きい表示画面に入力画像が小さく表示されたりすることがなく、プログラマブル表示器に入力画像を表示することに好適に利用することができる。
【符号の説明】
【００８４】
１    パーソナルコンピュータ（画像作成装置）
２    プログラマブル表示器
１３    画像作成部
１３１    種類設定部（種類設定手段）
１３２    画像サイズ決定部（入力画像サイズ決定手段）
１３３    パスワード設定部（表示サイズ変更手段）
２０１    パスワード入力画像
２０２ａ  ＩＤ／パスワード表示部（表示部）
４０１    パスワード入力画像
４０２ａ  ＩＤ／パスワード表示部（表示部）
【図１】
2010170497.tif 000003
【図２】
2010170497.tif 000004
【図３】
2010170497.tif 000005
【図４】
2010170497.tif 000006
【図５】
2010170497.tif 000007